【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
エステラーゼと、界面活性剤と、ブチルヒドロキシトルエン（ＢＨＴ）、トコフェロール、チオジグリコール、メチオニン、ビタミンＣ、ユビキノール、尿酸、ビリルビン、グルタチオン、ピロロキノリンキノン、カロチノイド、プロブコール、ポリフェノール、ブチルヒドロキシアニソール、チオタウリン、没食子酸、トランスフェリン及びフィチン酸からなる群より選択される少なくとも１つの抗酸化剤とを含有する、脂質測定試薬。
【請求項２】
前記エステラーゼが、リパーゼ、コレステロールエステラーゼから選択される１以上の酵素である請求項１に記載の脂質測定試薬。
【請求項３】
前記リパーゼが、リポプロテインリパーゼ、ホスホリパーゼ、膵リパーゼ、肝性トリアシルグリセロールリパーゼ、糖脂質分解リパーゼ、スフィンゴ脂質分解リパーゼ及びホルモン感受性リパーゼから選択される１以上のリパーゼである請求項２に記載の脂質測定試薬。
【請求項４】
前記界面活性剤が、非イオン界面活性剤、陰イオン性界面活性剤、陽イオン性界面活性剤及び両性イオン界面活性剤から選択される１以上の界面活性剤である請求項１〜３の何れかに記載の脂質測定試薬。
【請求項５】
前記界面活性剤が、ポリオキシエチレン系界面活性剤である請求項１〜３の何れかに記載の脂質測定試薬。
【請求項６】
前記界面活性剤が、ポリオキシエチレンイソオクチルフェニルエーテル、ポリオキシエチレン２級アルキルエーテル、ポリオキシエチレンオクチルフェニルエーテルから選択される請求項５に記載の脂質測定試薬。
【請求項７】
前記抗酸化剤が、ブチルヒドロキシトルエン（ＢＨＴ）、トコフェロール、チオジグリコール及びメチオニンからなる群より選択される少なくとも１つである、請求項１〜６の何れかに記載の脂質測定試薬。
【請求項８】
抗酸化剤の濃度が、１〜１００ｍＭである請求項１〜７の何れかに記載の脂質測定試薬。
【請求項９】
前記抗酸化剤が、含硫抗酸化剤である、請求項１〜８の何れかに記載の脂質測定試薬。
【請求項１０】
前記抗酸化剤が、チオジグリコール及びメチオニンからなる群より選択される少なくとも１つである、請求項１〜９の何れかに記載の脂質測定試薬。
【請求項１１】
前記脂質測定試薬が、中性脂肪測定試薬である請求項１〜１０の何れかに記載の脂質測定試薬。
【請求項１２】
前記中性脂肪測定試薬が、検体と第１試薬を反応させた後、第２試薬を反応させることによって検体中の中性脂肪を定量する中性脂肪測定試薬であり、
第１試薬はＡＴＰ、グルコース−６−リン酸脱水素酵素およびグリセロールキナーゼを含有し、第２試薬はエステラーゼ、界面活性剤、抗酸化剤、グルコース、ＮＡＤ（Ｐ）およびＡＤＰ依存ヘキソキナーゼを含有する請求項１１に記載の脂質測定試薬。
【請求項１３】
前記脂質測定試薬が、総コレステロール測定試薬である請求項１〜１０の何れかに記載の脂質測定試薬。
【請求項１４】
前記総コレステロール測定試薬が、検体と第１試薬を反応させた後、第２試薬を反応させることによって検体中の総コレステロールを定量する総コレステロール測定試薬であり、
第１試薬はエステラーゼ、界面活性剤、抗酸化剤およびＮＡＤ（Ｐ）を含有し、
第２試薬はコレステロール脱水素酵素を含有する請求項１３に記載の脂質測定試薬。
【請求項１５】
前記脂質測定試薬が、高密度リポ蛋白質コレステロール測定試薬である請求項１〜１０の何れかに記載の脂質測定試薬。
【請求項１６】
前記高密度リポ蛋白質コレステロール測定試薬が、検体と第１試薬を反応させた後、第２試薬を反応させることによって検体中の高密度リポ蛋白質コレステロールを定量する高密度リポ蛋白質コレステロール測定試薬であり、
第１試薬はＮＡＤ（Ｐ）を含有し、
第２試薬はエステラーゼ、界面活性剤、抗酸化剤およびコレステロール脱水素酵素を含有する請求項１５に記載の脂質測定試薬。
【請求項１７】
前記脂質測定試薬が、低密度リポ蛋白質コレステロール測定試薬である請求項１〜１０の何れかに記載の脂質測定試薬。
【請求項１８】
前記低密度リポ蛋白質コレステロール測定試薬が、検体と第１試薬を反応させた後、第２試薬を反応させることによって検体中の低密度リポ蛋白質コレステロールを定量する低密度リポ蛋白質コレステロール測定試薬であり、
第１試薬はエステラーゼ、界面活性剤、抗酸化剤、ＮＡＤ（Ｐ）、ＬＤＬ反応阻害剤を含有し、
第２試薬はコレステロール脱水素酵素を含有する請求項１７に記載の脂質測定試薬。
【請求項１９】
エステラーゼ、界面活性剤及び抗酸化剤を含有する脂質測定試薬であって、界面活性剤が酸化をうける条件下で酸化物質を実質的に生じない界面活性剤であることを特徴とする脂質測定試薬。
【請求項２０】
前記界面活性剤が、高純度のポリオキシエチレンイソオクチルフェニルエーテル、またはポリオキシエチレンノニルフェニルエーテルから選択される１以上の界面活性剤である請求項１９に記載の脂質測定試薬。
【手続補正２】
【補正対象書類名】明細書
【補正対象項目名】０００９
【補正方法】変更
【補正の内容】
【０００９】
すなわち本発明は、
１．エステラーゼと、界面活性剤と、ブチルヒドロキシトルエン（ＢＨＴ）、トコフェロール、チオジグリコール、メチオニン、ビタミンＣ、ユビキノール、尿酸、ビリルビン、グルタチオン、ピロロキノリンキノン、カロチノイド、プロブコール、ポリフェノール、ブチルヒドロキシアニソール、チオタウリン、没食子酸、トランスフェリン及びフィチン酸からなる群より選択される少なくとも１つの抗酸化剤とを含有する、脂質測定試薬、
２．前記エステラーゼが、リパーゼ、コレステロールエステラーゼから選択される１以上の酵素である前項１に記載の脂質測定試薬、
３．前記リパーゼが、リポプロテインリパーゼ、ホスホリパーゼ、膵リパーゼ、肝性トリアシルグリセロールリパーゼ、糖脂質分解リパーゼ、スフィンゴ脂質分解リパーゼ及びホルモン感受性リパーゼから選択される１以上のリパーゼである前項２に記載の脂質測定試薬、
４．前記界面活性剤が、非イオン界面活性剤、陰イオン性界面活性剤、陽イオン性界面活性剤及び両性イオン界面活性剤から選択される１以上の界面活性剤である前項１〜３の何れかに記載の脂質測定試薬、
５．前記界面活性剤が、ポリオキシエチレン系界面活性剤である前項１〜３の何れかに記載の脂質測定試薬、
６．前記界面活性剤が、ポリオキシエチレンイソオクチルフェニルエーテル、ポリオキシエチレン２級アルキルエーテル、ポリオキシエチレンオクチルフェニルエーテルから選択される前項５に記載の脂質測定試薬、
７．前記抗酸化剤が、ブチルヒドロキシトルエン（ＢＨＴ）、トコフェロール、チオジグリコール及びメチオニンからなる群より選択される少なくとも１つである、前項１〜６の何れかに記載の脂質測定試薬、
８．抗酸化剤の濃度が、１〜１００ｍＭである前項１〜７の何れかに記載の脂質測定試薬。
９．前記抗酸化剤が、含硫抗酸化剤である、前項１〜８の何れかに記載の脂質測定試薬。
１０．前記抗酸化剤が、チオジグリコール及びメチオニンからなる群より選択される少なくとも１つである、前項１〜９の何れかに記載の脂質測定試薬、
１１．前記脂質測定試薬が、中性脂肪測定試薬である前項１〜１０の何れかに記載の脂質測定試薬、
１２．前記中性脂肪測定試薬が、検体と第１試薬を反応させた後、第２試薬を反応させることによって検体中の中性脂肪を定量する中性脂肪測定試薬であり、
第１試薬はＡＴＰ、グルコース−６−リン酸脱水素酵素およびグリセロールキナーゼを含有し、第２試薬はエステラーゼ、界面活性剤、抗酸化剤、グルコース、ＮＡＤ（Ｐ）およびＡＤＰ依存ヘキソキナーゼを含有する前項１１に記載の脂質測定試薬、
１３．前記脂質測定試薬が、総コレステロール測定試薬である前項１〜１０の何れかに記載の脂質測定試薬、
１４．前記総コレステロール測定試薬が、検体と第１試薬を反応させた後、第２試薬を反応させることによって検体中の総コレステロールを定量する総コレステロール測定試薬であり、
第１試薬はエステラーゼ、界面活性剤、抗酸化剤およびＮＡＤ（Ｐ）を含有し、
第２試薬はコレステロール脱水素酵素を含有する前項１３に記載の脂質測定試薬、
１５．前記脂質測定試薬が、高密度リポ蛋白質コレステロール測定試薬である前項１〜１０の何れかに記載の脂質測定試薬、
１６．前記高密度リポ蛋白質コレステロール測定試薬が、検体と第１試薬を反応させた後、第２試薬を反応させることによって検体中の高密度リポ蛋白質コレステロールを定量する高密度リポ蛋白質コレステロール測定試薬であり、
第１試薬はＮＡＤ（Ｐ）を含有し、
第２試薬はエステラーゼ、界面活性剤、抗酸化剤およびコレステロール脱水素酵素を含有する前項１５に記載の脂質測定試薬、
１７．前記脂質測定試薬が、低密度リポ蛋白質コレステロール測定試薬である前項１〜１０の何れかに記載の脂質測定試薬、
１８．前記低密度リポ蛋白質コレステロール測定試薬が、検体と第１試薬を反応させた後、第２試薬を反応させることによって検体中の低密度リポ蛋白質コレステロールを定量する低密度リポ蛋白質コレステロール測定試薬であり、
第１試薬はエステラーゼ、界面活性剤、抗酸化剤、ＮＡＤ（Ｐ）、ＬＤＬ反応阻害剤を含有し、
第２試薬はコレステロール脱水素酵素を含有する前項１７に記載の脂質測定試薬、
１９．エステラーゼ、界面活性剤及び抗酸化剤を含有する脂質測定試薬であって、界面活性剤が酸化をうける条件下で酸化物質を実質的に生じない界面活性剤であることを特徴とする脂質測定試薬、
２０．前記界面活性剤が、高純度のポリオキシエチレンイソオクチルフェニルエーテル、またはポリオキシエチレンノニルフェニルエーテルから選択される１以上の界面活性剤である前項１９に記載の脂質測定試薬、
からなる。